(57)【特許請求の範囲】
【請求項１】
仏像などの基体と、この基体の外面に接着された金箔とを備えた宗教用有体物の一部表面の補修方法であって、
まず、宗教用有体物の表面を、洗浄液を用いて洗い流すよう洗浄し、
次に、上記宗教用有体物の表面のうち、一部表面に新金箔を接着して新表面を形成し、
次に、上記宗教用有体物の他部表面における古来の金箔と視覚上の違和感が生じない程度に、上記新表面に上記洗浄後の汚濁洗浄液中の汚れを付着させるようにしたことを特徴とする宗教用有体物の一部表面の補修方法。
【請求項２】
上記洗浄液が溶剤であることを特徴とする請求項１に記載の宗教用有体物の一部表面の補修方法。
【請求項３】
上記新表面に汚濁洗浄液中の汚れを塗布するに際し、まず、汚濁洗浄液を可撓性の多孔吸湿体に含ませ、次に、この多孔吸湿体を上記新表面に押接させることを特徴とする請求項１、もしくは２に記載の宗教用有体物の一部表面の補修方法。
【請求項４】
上記宗教用有体物の一部表面に新金箔を接着するに際し、まず、上記一部表面に液状の接着剤を塗布し、次に、この接着剤により上記新金箔を上記一部表面に接着し、次に、上記新表面に汚濁洗浄液中の汚れを塗布するに際し、まず、汚濁洗浄液を可撓性の多孔吸湿体に含ませ、次に、この多孔吸湿体を上記新表面に押接させることを特徴とする請求項２に記載の宗教用有体物の一部表面の補修方法。
【発明の詳細な説明】
【技術分野】
【０００１】
本発明は、仏像などの基体と、この基体の外面に接着された金箔とを備えた宗教用有体物の一部表面の補修方法に関するものである。
【背景技術】
【０００２】
宗教用有体物である仏像、仏壇、仏具などは、一般に、木製の基体と、この基体の外面に接着剤により接着された金箔とを備えている（例えば、下記特許文献１）。
【０００３】
そして、上記基体の外面への金箔の接着により、宗教用有体物の見栄えの向上（宗教的価値の向上を含む）が図られている。
【先行技術文献】
【特許文献】
【０００４】
【特許文献１】実開平７−１３２７８号公報
【発明の概要】
【発明が解決しようとする課題】
【０００５】
ところで、宗教用有体物には１００年以上のように多年を経過したものが多く存在する。このような古来の宗教用有体物では、接着剤として漆が多用されている。この漆は経時的に劣化するため、多年が経過すると、漆の劣化により基体の外面から部分的に金箔が剥離したり脱落したりして、宗教用有体物の表面のうち、一部表面が損傷することがある。そして、このような宗教用有体物の一部表面の損傷は、宗教用有体物の見栄えを低下させる要因となることから、好ましくない。
【０００６】
そこで、宗教用有体物の見栄えを復元させるため、宗教用有体物の表面補修方法の一つとして、従来、基体の外面から金箔を全体的に剥がして除去し、その後、基体の外面に対し、改めて全体的に新金箔を接着することが行われている。
【０００７】
しかし、金箔は高価なものであるため、上記したように、全体的に新金箔を接着するという補修方法を用いた場合には、費用が極めて高額になるという問題点がある。また、特に、宗教用有体物が平安時代の作というように古来のものである場合には、上記補修方法により金箔を全体的に除去して新金箔を接着したとすると、この新金箔の接着により宗教用有体物の見栄えの向上は図られるものの、後世に残すべき古来の金箔は喪失される結果となる。つまり、上記補修方法によれば、宗教用有体物が有しておくべき歴史的価値が失われるという新たな不都合が生じる。
【０００８】
そこで、上記したように損傷が生じた宗教用有体物の一部表面についてのみ、新金箔を接着して新表面を形成し、これにより、上記宗教用有体物の一部表面のみを補修することが考えられる。
【０００９】
しかし、古来の金箔が接着されたままに残された宗教用有体物の他部表面では、種々の汚れが頑固に付着していたり、上記金箔に微細な傷が生じていたりすることが多いことから、この宗教用有体物の他部表面を洗浄したとしても、この他部表面につき、上記新金箔による新表面ほどの光沢を得ることは困難である。
【００１０】
このため、前記したように、宗教用有体物の一部表面のみを新金箔により補修して新表面を形成した場合には、宗教用有体物の他部表面における古来の金箔と、新表面を形成した新金箔との間で、視覚上の違和感が生じるおそれがある。よって、宗教用有体物の一部表面を補修する場合において、この宗教用有体物の見栄えを、より向上させる上で、改善の余地が残されている。
【課題を解決するための手段】
【００１１】
本発明は、上記のような事情に注目してなされたもので、本発明の目的は、基体の外面に金箔が接着されている宗教用有体物の表面の補修が、一部表面についてのものであるとしても、この宗教用有体物の補修後の見栄えを、より向上させるようにすることである。
【００１２】
請求項１の発明は、仏像などの基体２と、この基体２の外面に接着された金箔４とを備えた宗教用有体物の一部表面の補修方法であって、
まず、宗教用有体物１の表面を、洗浄液１１を用いて洗い流すよう洗浄し、
次に、上記宗教用有体物１の表面７のうち、一部表面７ａに新金箔１７を接着して新表面１８を形成し、
次に、上記宗教用有体物１の他部表面７ｂにおける古来の金箔４と視覚上の違和感が生じない程度に、上記新表面１８に上記洗浄後の汚濁洗浄液１２中の汚れを付着させるようにしたことを特徴とする宗教用有体物の一部表面の補修方法である。
【００１３】
請求項２の発明は、上記洗浄液１１が溶剤であることを特徴とする請求項１に記載の宗教用有体物の一部表面の補修方法である。
【００１４】
請求項３の発明は、上記新表面１８に汚濁洗浄液１２中の汚れを塗布するに際し、まず、汚濁洗浄液１２を可撓性の多孔吸湿体１９に含ませ、次に、この多孔吸湿体１９を上記新表面１８に押接Ａさせることを特徴とする請求項１、もしくは２に記載の宗教用有体物の一部表面の補修方法である。
【００１５】
請求項４の発明は、上記宗教用有体物１の一部表面７ａに新金箔１７を接着するに際し、まず、上記一部表面７ａに液状の接着剤１６を塗布し、次に、この接着剤１６により上記新金箔１７を上記一部表面７ａに接着し、次に、上記新表面１８に汚濁洗浄液１２中の汚れを塗布するに際し、まず、汚濁洗浄液１２を可撓性の多孔吸湿体１９に含ませ、次に、この多孔吸湿体１９を上記新表面１８に押接Ａさせることを特徴とする請求項２に記載の宗教用有体物の一部表面の補修方法である。
【００１６】
なお、この項において、上記各用語に付記した符号や図面番号は、本発明の技術的範囲を後述の「実施例」の項や図面の内容に限定解釈するものではない。
【発明の効果】
【００１７】
本発明による効果は、次の如くである。
【００１８】
請求項１の発明は、仏像などの基体と、この基体の外面に接着された金箔とを備えた宗教用有体物の一部表面の補修方法であって、
まず、宗教用有体物の表面を、洗浄液を用いて洗い流すよう洗浄し、
次に、上記宗教用有体物の表面のうち、一部表面に新金箔を接着して新表面を形成し、
次に、上記宗教用有体物の他部表面における古来の金箔と視覚上の違和感が生じない程度に、上記新表面に上記洗浄後の汚濁洗浄液中の汚れを付着させるようにしており、次の第１効果が生じる。
【００１９】
即ち、多年を経過した宗教用有体物では、その表面に種々の汚れが付着（滞留）しているが、この汚れの種類は、宗教用有体物が設置されている宗教的環境や、物理的環境によって互いに相違する。
【００２０】
そこで、本発明の補修方法は、要するに、まず、宗教用有体物の表面を、洗浄液を用いて洗い流すよう洗浄し、次に、上記宗教用有体物の表面のうち、補修すべき一部表面に新金箔を接着して新表面を形成し、次に、上記新表面に上記洗浄後の汚濁洗浄液中の汚れを付着させるようにしている。このため、上記洗浄後に、古来の金箔が接着されている宗教用有体物の他部表面に汚れが頑固に付着して残留しているとしても、このように宗教用有体物の他部表面に残留している汚れと、上記新表面に塗布される汚濁洗浄液中の汚れとは互いに同じ種類のものとなる。
【００２１】
よって、宗教用有体物の一部表面のみを補修して新表面を形成したとしても、宗教用有体物の他部表面における古来の金箔と、上記新表面を形成する新金箔との間で視覚上の違和感が生じることが防止され、この結果、この宗教用有体物の補修後の見栄えを、より向上させることができる。
【００２２】
また、上記補修方法によれば、次の第２効果が生じる。
【００２３】
即ち、多年の経過により宗教用有体物の表面に付着してきた汚れは、この宗教用有体物の歴史を物語る一面がある。このため、上記汚れは、将来、高精度に分析されて、何らかを解明するための糸口になる可能性がある。
【００２４】
そこで、本発明では、上記したように、宗教用有体物の他部表面における古来の金箔と、新表面を形成する新金箔との間で視覚上の違和感が生じないようにする場合に、上記新表面に対し、別途の絵具、漆、木の粉などの素材を付着させることを避け、宗教用有体物の表面の洗浄後の汚濁洗浄液中の汚れを用いて上記新表面の色調を整えたのである。
【００２５】
このため、宗教用有体物の一部表面を補修した場合でも、この宗教用有体物の表面の各部に付着した各汚れについて、互いに同等の歴史的価値を保持させることができる。よって、将来、上記汚れを分析するに際し、無用な混乱を防止して、有益な分析を精度よくすることができる。
【００２６】
請求項２の発明は、上記洗浄液を溶剤としている。
【００２７】
このため、上記宗教用有体物の表面に付着している汚れが、多年の経過により樹脂化しているとしても、この汚れは上記溶剤に対し容易に溶解することから、上記宗教用有体物の他部表面を、より美麗に浄化することができる。よって、この宗教用有体物の他部表面の光沢を上記新金箔による新表面の光沢に、より近づけることができる。この結果、その後、上記したように、視覚上の違和感が生じないよう新表面に汚濁洗浄液中の汚れを付着させる際には、この付着のための汚れが少なくて足りる分、この付着のための作業が、より容易にできる。
【００２８】
請求項３の発明は、上記新表面に汚濁洗浄液中の汚れを塗布するに際し、まず、汚濁洗浄液を可撓性の多孔吸湿体に含ませ、次に、この多孔吸湿体を上記新表面に押接させている。
【００２９】
このため、上記新表面に対し汚濁洗浄液中の汚れを付着させる場合に、この汚れの付着は、上記多孔吸湿体を介することにより、上記新表面に対し均等にすることが容易にできる。よって、上記した視覚上の違和感が生じないようにすることは、容易かつ確実にできる。
【００３０】
請求項４の発明は、上記宗教用有体物の一部表面に新金箔を接着するに際し、まず、上記一部表面に液状の接着剤を塗布し、次に、この接着剤により上記新金箔を上記一部表面に接着し、次に、上記新表面に汚濁洗浄液中の汚れを塗布するに際し、まず、汚濁洗浄液を可撓性の多孔吸湿体に含ませ、次に、この多孔吸湿体を上記新表面に押接させている。
【００３１】
このため、上記した新表面への多孔吸湿体の押接により、上記請求項３の発明の効果が生じるが、これに加え、上記押接により、上記新表面を形成する新金箔は、上記宗教用有体物の一部表面に対し接着剤により強固に接着されることとなり、この宗教用有体物の一部表面に対する新金箔の接着の耐久性が向上する。
【００３２】
ここで、上記したように、新表面に多孔吸湿体を押接させるとき、上記接着剤の一部は、上記新金箔がその特性として有する多くのピンホールを通して上記新表面に浸出しがちとなる。この場合、この新表面に浸出した接着剤は、上記洗浄液である溶剤に一旦溶解して、分散する。そして、その後の上記溶剤の蒸発により、上記汚濁洗浄液中の汚れは、上記接着剤によって上記新表面に均等に容易に付着させられると共に、強固に付着させられる。
【００３３】
よって、上記新表面に対し汚れを付着させる際の作業性が向上すると共に、上記新表面への汚れの付着の耐久性が向上する。
【図面の簡単な説明】
【００３４】
【図１】補修方法の説明図である。
【発明を実施するための形態】
【００３５】
本発明の宗教用有体物の一部表面の補修方法に関し、基体の外面に金箔が接着されている宗教用有体物の表面の補修が、一部表面についてのものであるとしても、この宗教用有体物の補修後の見栄えを、より向上させるようにする、という目的を実現するため、本発明を実施するための形態は、次の如くである。
【００３６】
即ち、仏像などの基体と、この基体の外面に接着された金箔とを備えた宗教用有体物の一部表面の補修方法であって、
まず、宗教用有体物の表面を、洗浄液を用いて洗い流すよう洗浄し、
次に、上記宗教用有体物の表面のうち、一部表面に新金箔を接着して新表面を形成し、
次に、上記宗教用有体物の他部表面における古来の金箔と視覚上の違和感が生じない程度に、上記新表面に上記洗浄後の汚濁洗浄液中の汚れを付着させるようにしている。
【実施例】
【００３７】
本発明をより詳細に説明するために、その実施例を添付の図１に従って説明する。
【００３８】
図１において、符号１は、仏像で例示される宗教用有体物である。この宗教用有体物１は、木製の基体２と、この基体２の外面に接着剤３により接着された金箔４とを備えている。上記接着剤３は、古くから、漆が多用されているが、コーパルニスやカシュー（ｃａｓｈｅｗ）樹脂が用いられる場合もある。また、上記金箔４には、これ自体の特性として、その厚さ方向に貫通する多数のピンホールが形成されている。
【００３９】
図１において、多年を経過した宗教用有体物１では、上記接着剤３の劣化などにより、基体２の外面から部分的に金箔４が剥離したり脱落したりして、宗教用有体物１の表面７のうち、一部表面７ａが損傷することがある。
【００４０】
そこで、宗教用有体物１の表面７を復元して、この宗教用有体物１の見栄えを向上させるため、上記宗教用有体物１の一部表面７ａにつき、次のような補修方法が採用される。
【００４１】
図１において、まず、上記宗教用有体物１の表面７に付着している砂、煤、繊維などの塵埃を刷毛などにより払い落とす。
【００４２】
次に、アルカリ性洗剤などの洗剤を、スプレー噴霧などにより泡立てて上記宗教用有体物１の表面７に付着させ、この表面７に付着している汚れを泡洗浄する。
【００４３】
上記泡洗浄を所定期間続行した後、スプレーガン１０により、有機溶剤で例示される洗浄液１１を噴霧して、この洗浄液１１により宗教用有体物１の表面７における汚れや、残留している泡を、全体的に洗い流す。この洗い流しが終了すると、上記宗教用有体物１の表面７に残留していた洗剤や水分は共沸作用によって、溶剤である洗浄液１１の蒸発と共に強制的に蒸発除去させられ、これらが宗教用有体物１の表面７に残留することは防止される。これによれば、上記宗教用有体物１の表面７の内部に水が浸入することが防止された状態で、この表面７の洗浄が終了する。
【００４４】
なお、上記泡洗浄を省略し、上記洗浄液１１のみによって、上記宗教用有体物１の表面７を洗浄してもよい。
【００４５】
上記洗浄液１１による宗教用有体物１の表面７の洗浄後の汚濁洗浄液１２は、上記宗教用有体物１の表面７を自然流下した後、容器１３に集められて貯留される。なお、上記汚濁洗浄液１２は、その後、洗浄液１１を蒸発させたり、汚濁洗浄液１２を濾過したりして、濃縮させてもよい。
【００４６】
上記洗浄液１１である有機溶剤は、ベンジン、アルコール（エタノール）、イソプロピルアルコール、クロロホルム、ジエチルエーテル（通称：エーテル）、石油ベンジン、石油エーテル、アセトン、ベンゼン、トルエン、キシレンなどである。
【００４７】
次に、上記宗教用有体物１の表面７のうち、補修すべき上記一部表面７ａに液状の接着剤１６を刷毛などにより塗布し、次に、この接着剤１６により新金箔１７を上記一部表面７ａに接着して、新金箔１７の外面で新表面１８を形成する。上記接着剤１６は、フェノール樹脂、アクリル樹脂、ウレタン樹脂、エポキシ樹脂などである。
【００４８】
次に、上記宗教用有体物１の他部表面７ｂの色調に上記新表面１８の色調が一致するよう、この新表面１８に上記汚濁洗浄液１２を塗布して、この汚濁洗浄液１２中の汚れを上記新表面１８に付着させ、その後、上記汚濁洗浄液１２を乾燥させる。
【００４９】
具体的には、上記新表面１８に汚濁洗浄液１２を塗布するに際し、まず、この汚濁洗浄液１２を、メリヤス布を塊状にしたものや脱脂綿で例示される可撓性の多孔吸湿体１９に湿らせる程度に微量含ませる。次に、この多孔吸湿体１９を上記新表面１８に対し、その垂直方向に向かうよう押接Ａさせて、上記汚濁洗浄液１２中の汚れを、上記洗浄液１１と共に上記新表面１８に付着させる。
【００５０】
上記押接Ａは、上記新表面１８の各部に対し繰り返し均一に行なわれる。また、この新表面１８への汚濁洗浄液１２の塗布後におけるこの汚濁洗浄液１２の乾燥は、この汚濁洗浄液１２の主体が溶剤であるため、自然乾燥によって短時間で達成される。
【００５１】
なお、上記新表面１８への汚濁洗浄液１２中の汚れの付着は、上記したように、この汚濁洗浄液１２を直接上記新表面１８に塗布することが好ましいが、上記汚濁洗浄液１２を一旦乾燥させた後、別途の溶剤や接着剤など何らかの媒体を用いて上記新表面１８に付着させてもよい。
【００５２】
上記宗教用有体物１の一部表面７ａの補修方法によれば、次の第１効果が生じる。
【００５３】
即ち、多年を経過した宗教用有体物１では、その表面７に種々の汚れが付着（滞留）しているが、この汚れの種類は、宗教用有体物１が設置されている宗教的環境や、物理的環境によって互いに相違する。具体的には、一般客が建物内に靴を履いたまま入る観光寺のような場所では、宗教用有体物１の表面７には砂塵が付着し易い。また、堂内でローソク、線香、燈明が頻繁に灯される場所では、油煙が付着し易い。また、護摩焚きするような場所では、黒色の煤埃が付着し易い。更に、車両の通行量の多い道路に面している場所では、車両の排ガス煙が付着し易い。
【００５４】
そこで、前記補修方法では、要するに、まず、宗教用有体物１の表面を、洗浄液１１を用いて全体的に洗い流すよう洗浄し、次に、上記宗教用有体物１の表面７のうち、補修すべき一部表面７ａに新金箔１７を接着して新表面１８を形成し、次に、上記新表面１８に上記洗浄後の汚濁洗浄液１２中の汚れを付着させるようにしている。このため、上記洗浄液１１による宗教用有体物１の表面７の洗浄後に、古来の金箔４が接着されている宗教用有体物１の他部表面７ｂに汚れが頑固に付着して残留しているとしても、このように宗教用有体物１の他部表面７ｂに残留している汚れと、上記新表面１８に塗布される汚濁洗浄液１２中の汚れとは互いに同じ種類のものとなる。
【００５５】
よって、宗教用有体物１の一部表面７ａのみを補修して新表面１８を形成したとしても、宗教用有体物１の他部表面７ｂにおける古来の金箔４と、上記新表面１８を形成する新金箔１７との間で視覚上の違和感が生じることが防止され、この結果、この宗教用有体物１の補修後の見栄えを、より向上させることができる。
【００５６】
また、上記補修方法によれば、次の第２効果が生じる。
【００５７】
即ち、多年の経過により宗教用有体物１の表面７に付着してきた汚れは、この宗教用有体物１の歴史を物語る一面がある。このため、上記汚れは、将来、高精度に分析されて、何らかを解明するための糸口になる可能性がある。
【００５８】
ここで、上記したように、宗教用有体物１の他部表面７ｂにおける古来の金箔４と、新表面１８を形成する新金箔１７との間で視覚上の違和感が生じないようにする場合に、上記新表面１８に対し、別途の絵具、漆、木の粉などの素材を付着させることを避け、宗教用有体物１の表面７の洗浄後の汚濁洗浄液１２中の汚れを用いて上記新表面１８の色調を整えたのである。
【００５９】
このため、宗教用有体物１の一部表面７ａのみを補修した場合でも、この宗教用有体物１の表面７の各部に付着した各汚れについて、互いに同等の歴史的価値を保持させることができる。よって、将来、上記汚れを分析するに際し、無用な混乱を防止して、有益な分析を精度よくすることができる。
【００６０】
また、前記したように、洗浄液１１を溶剤としている。
【００６１】
このため、上記宗教用有体物１の表面７に付着している汚れが、多年の経過により樹脂化しているとしても、この汚れは上記溶剤に対し容易に溶解することから、上記宗教用有体物１の他部表面７ｂを、より美麗に浄化することができる。よって、この宗教用有体物１の他部表面７ｂの光沢を上記新金箔１７による新表面１８の光沢に、より近づけることができる。この結果、その後、上記したように、視覚上の違和感が生じないよう新表面１８に汚濁洗浄液１２中の汚れを付着させる際には、この付着のための汚れが少なくて足りる分、この付着のための作業が、より容易にできる。
【００６２】
また、前記したように、新表面１８に汚濁洗浄液１２中の汚れを塗布するに際し、まず、汚濁洗浄液１２を可撓性の多孔吸湿体１９に含ませ、次に、この多孔吸湿体１９を上記新表面１８に押接Ａさせている。
【００６３】
このため、上記新表面１８に対し汚濁洗浄液１２中の汚れを付着させる場合に、この汚れの付着は、上記多孔吸湿体１９を介することにより、上記新表面１８に対し均等にすることが容易にできる。よって、上記した視覚上の違和感が生じないようにすることは、容易かつ確実にできる。
【００６４】
また、前記したように、宗教用有体物１の一部表面７ａに新金箔１７を接着するに際し、まず、上記一部表面７ａに液状の接着剤１６を塗布し、次に、この接着剤１６により上記新金箔１７を上記一部表面７ａに接着し、次に、上記新表面１８に汚濁洗浄液１２中の汚れを塗布するに際し、まず、汚濁洗浄液１２を可撓性の多孔吸湿体１９に含ませ、次に、この多孔吸湿体１９を上記新表面１８に押接Ａさせている。
【００６５】
このため、上記した新表面１８への多孔吸湿体１９の押接Ａにより、上記新表面１８を形成する新金箔１７は、上記宗教用有体物１の一部表面７ａに対し接着剤１６により強固に接着されることとなり、この宗教用有体物１の一部表面７ａに対する新金箔１７の接着の耐久性が向上する。
【００６６】
ここで、上記したように、新表面１８に多孔吸湿体１９を押接Ａさせるとき、上記接着剤１６の一部は、上記新金箔１７がその特性として有する多くのピンホールを通して上記新表面１８に浸出しがちとなる。この場合、この新表面１８に浸出した接着剤１６は、上記洗浄液１１である溶剤に一旦溶解して、分散する。そして、その後の上記溶剤の蒸発により、上記汚濁洗浄液１２中の汚れは、上記接着剤１６によって上記新表面１８に均等に容易に付着させられると共に、強固に付着させられる。
【００６７】
よって、上記新表面１８に対し汚れを付着させる際の作業性が向上すると共に、上記新表面１８への汚れの付着の耐久性が向上する。
【００６８】
なお、上記洗浄液１１は、水であってもよく、この場合には、汚濁洗浄液１２を上記新表面１８に塗布したとき、上記汚濁洗浄液１２の乾燥は、強制乾燥によってもよい。また、上記汚濁洗浄液１２に予め接着剤を混入したり、上記新表面１８に予め接着剤を塗布したりすることにより、この新表面１８に対する汚れの付着を容易にさせたり、新表面１８への汚れの付着の耐久性を向上させたりしてもよい。
【符号の説明】
【００６９】
１    宗教用有体物
２    基体
３    接着剤
４    金箔
７    表面
７ａ  一部表面
７ｂ  他部表面
１１  洗浄液
１２  汚濁洗浄液
１６  接着剤
１７  新金箔
１８  新表面
１９  多孔吸湿体
Ａ    押接
【図１】
0005736153.tif 000002